(57)【特許請求の範囲】
【請求項１】
遊技に必要な第１図柄(43)(44)(45)が表された円筒状の胴部(19c)(20c)(21c) を備え且つその軸心において回動自在に支持された回胴体(19)(20)(21)と、該回胴体(19)(20)(21)の内側に配置され且つこの回胴体(19)(20)(21)を回転駆動する駆動手段(22)(23)(24)とを備えた遊技機において、前記駆動手段(22)(23)(24)を、その駆動軸(40)(41)(42)を前記回胴体(19)(20)(21)の軸心からずらして配置すると共に、前記駆動軸(40)(41)(42)の回転を前記回胴体(19)(20)(21)に伝達する回転伝達手段(70)を備え、前記回胴体(19)(20)(21)をその軸心において回動自在に支持する支軸(37a)(38a)(39a) を、前記回胴体(19)(20)(21)の内側に配置し、前記支軸(37a)(38a)(39a) 若しくはその支持部材を前記回胴体(19)(20)(21)の軸心に対する半径方向外向きの一方向への屈曲状に形成すると共に前記回胴体(19)(20)(21)の軸心からずれた位置で支持したことを特徴とする遊技機。
【発明の詳細な説明】
【０００１】
【発明の属する技術分野】
本発明は、パチンコ機、アレンジボール機、雀球遊技機、スロットマシン等の遊技機に関するものである。
【０００２】
【従来の技術】
パチンコ機等の弾球遊技機やスロットマシンには、複数個の遊技図柄を変動表示可能な機械式の変動図柄表示装置を備えたものがある。この変動図柄表示装置は、外周側に複数種類の図柄が表示された回転ドラムを図柄表示領域に対応させて左右方向に複数個配置すると共に、各回転ドラムの内側には、各回転ドラムを個々に駆動する駆動モータと、図柄表示領域に対応して内側から図柄を照らす照明装置等を配置している。
【０００３】
駆動モータは、その駆動軸が回転ドラムの回転軸に直結されて各回転ドラムの中心部に配置され、この駆動モータと回転ドラムの内周側との隙間に照明装置等が配置されている。
【０００４】
【発明が解決しようとする課題】
従来の機械式の変動図柄表示装置では、回転ドラムの回転軸が駆動モータの駆動軸と直結されており、各回転ドラムの中心部に駆動モータが配置されているため、回転ドラム内の空き空間は駆動モータの外周側と回転ドラムの内周側とで挟まれた環状のスペースに限られていた。これにより、照明装置等の他の内蔵部品を大型化することができず、また例えば液晶表示手段等の更に大型の部品を回転ドラム内に配置することも困難であった。
【０００５】
本発明は、このような従来の問題点に鑑み、駆動手段を各回転ドラム内の中心部から外れた位置に配置することにより、他の内蔵部品を配置するためのまとまったスペースを確保でき、大型の部品を内蔵することが可能な遊技機を提供することを目的とする。
【０００６】
【課題を解決するための手段】
本発明は、遊技に必要な第１図柄４３，４４，４５が表された円筒状の胴部１９ｃ，２０ｃ，２１ｃを備え且つその軸心において回動自在に支持された回胴体１９，２０，２１と、該回胴体１９，２０，２１の内側に配置され且つこの回胴体１９，２０，２１を回転駆動する駆動手段２２，２３，２４とを備えた遊技機において、前記駆動手段２２，２３，２４を、その駆動軸４０，４１，４２を前記回胴体１９，２０，２１の軸心からずらして配置すると共に、前記駆動軸４０，４１，４２の回転を前記回胴体１９，２０，２１に伝達する回転伝達手段７０を備え、前記回胴体１９，２０，２１をその軸心において回動自在に支持する支軸３７ａ，３８ａ，３９ａを、前記回胴体１９，２０，２１の内側に配置し、前記支軸３７ａ，３８ａ，３９ａ若しくはその支持部材を前記回胴体１９，２０，２１の軸心に対する半径方向外向きの一方向への屈曲状に形成すると共に前記回胴体１９，２０，２１の軸心からずれた位置で支持したものである。
【０００７】
【発明の実施の形態】
以下、本発明の実施形態を図面に基づいて詳述する。図１〜図８は本発明の第１の実施形態を例示する。図１において、１は遊技機本体で、開閉自在に枢着された前枠２を有する。前枠２には、遊技盤３が裏側から着脱自在に装着され、この遊技盤３の前側にガラス扉４と前面板５とが開閉自在に配置されている。前面板５には、発射用の遊技球を貯留する上皿６が装着されている。また、前枠２の下部には、余剰球を貯留する下皿７と、発射手段８の発射ハンドル９とが夫々設けられている。
【０００８】
遊技盤３には、ガイドレール１０が略環状に装着されると共に、そのガイドレール１０の内側の遊技領域１１に第１変動図柄表示手段１２、第２変動図柄表示手段１３、第１変動要求手段１４、第２変動要求手段１５、可変入賞手段１６、普通入賞手段１７等の各種遊技部品が配置されている。
【０００９】
第１変動図柄表示手段１２は、第１変動要求手段１４が遊技球を検出したときの変動要求により、乱数制御によって後述の第１図柄及び第２図柄を変動させて、所定時間の変動後に停止表示させるためのもので、図２〜図６に示すように構成されている。即ち、この第１変動図柄表示手段１２は、表示ケース１８内に、左右方向に配置された複数個（例えば３個）の回転ドラム（回胴体）１９，２０，２１と、この各回転ドラム１９，２０，２１を別々に駆動する駆動モータ（駆動手段）２２，２３，２４と、１個又は複数個、例えば中央の回転ドラム２０内に配置された液晶表示手段２５とを備え、左右方向に複数個の図柄を変動表示可能となっている。
【００１０】
表示ケース１８は、遊技盤３の前面側に着脱自在に装着された前飾りケース２６と、この前飾りケース２６の裏側に着脱自在に装着された矩形状、その他の収納ケース２７とを備え、その収納ケース２７は遊技盤３の取り付け孔２８に嵌合して後方に突出している。前飾りケース２６は、正面側に開口状に設けられた図柄表示窓２９と、この図柄表示窓２９の上側に設けられ且つ前方に突出する庇部３０とを備え、その庇部３０の左右方向の略中央に第２変動図柄表示手段１３が設けられている。
【００１１】
図柄表示窓２９は、回転ドラム１９，２０，２１の第１図柄を表示可能な左右幅と、回転ドラム１９，２０，２１が停止状態のときに１コマ又は複数コマ、例えば上下方向に３コマの第１図柄を表示可能な上下幅とを有する大きさであって、矩形状、その他の適宜形状に構成されており、この図柄表示窓２９の内部が図柄表示領域３１となっている。図柄表示窓２９は、回転ドラム１９，２０，２１の前側に配置されたカバー３２により閉塞されている。
【００１２】
カバー３２は、回転ドラム１９，２０，２１側を前側から視認可能であって、透明な合成樹脂材料等により回転ドラム１９，２０，２１の外周に沿って円弧状に湾曲させて構成され、表示ケース１８に着脱自在に装着されている。カバー３２は上下両端に係合爪３３を備え、その係合爪３３が収納ケース２７の上下両側の壁３４に形成された係合部３５に係脱自在に係合している。なお、カバー３２には、図柄表示領域３１に対応する部分に３本の左右方向、２本の斜め方向の入賞ライン３６が表示されている。但し、この入賞ライン３６は、必ずしも必要ではない。
【００１３】
回転ドラム１９，２０，２１は、収納ケース２７内に左右方向に所定間隔で近接させて配置されており、収納ケース２７内に着脱自在に固定された支持板３７，３８，３９により横軸心廻りに回転自在に支持されている。即ち、支持板３７，３８，３９には、支軸３７ａ，３８ａ，３９ａが夫々同方向且つ同一直線上に垂直に立設されており、これら支軸３７ａ，３８ａ，３９ａに回転ドラム１９，２０，２１側のハブ部１９ａ，２０ａ，２１ａが回動自在且つ着脱自在に支持されている。支軸３７ａ，３８ａ，３９ａには、その先端側に小径部３７ｂ，３８ｂ，３９ｂが形成されており、この小径部３７ｂ，３８ｂ，３９ｂにハブ部１９ａ，２０ａ，２１ａが嵌め込まれ、小径部３７ｂ，３８ｂ，３９ｂの先端側に着脱自在に装着された規制部材３７ｃ，３８ｃ，３９ｃにより軸方向への移動が規制されている。
【００１４】
ハブ部１９ａ，２０ａ，２１ａの支持板３７，３８，３９と反対側の端部には、従動ギア１９ｆ，２０ｆ，２１ｆが一体に設けられており、更にその従動ギア１９ｆ，２０ｆ，２１ｆの外周側で且つ支持板３７，３８，３９と反対側の面には、回転ドラム１９，２０，２１の支持板３７，３８，３９と反対側の縁部に設けられたホーク部１９ｂ，２０ｂ，２１ｂが固定されている。即ち、図６に示すように、従動ギア１９ｆ，２０ｆ，２１ｆ、及びハブ部１９ａ，２０ａ，２１ａは、ホーク部１９ｂ，２０ｂ，２１ｂよりも支持板３７，３８，３９側に偏位して設けられており、それによって形成された凹入部内に支軸３７ａ，３８ａ，３９ａの先端部及び規制部材３７ｃ，３８ｃ，３９ｃが配置されている。これにより、回転ドラム２０，２１と支持板３７，３８とを近接させて配置することができ、回転ドラム１９，２０，２１をわずかな隙間で配列することができる。
【００１５】
各支持板３７，３８，３９の回転ドラム１９，２０，２１に対応する側には、駆動モータ２２，２３，２４が、支軸３７ａ，３８ａ，３９ａよりも後側に偏位して着脱自在に装着されている。駆動モータ２２，２３，２４は、支持板３７，３８，３９と反対側に駆動軸４０，４１，４２を備えており、それら駆動軸４０，４１，４２には、回転ドラム１９，２０，２１側の従動ギア１９ｆ，２０ｆ，２１ｆに噛み合う駆動ギア４０ａ，４１ａ，４２ａが夫々固定されている。
【００１６】
このように、各回転ドラム１９，２０，２１は、駆動モータ２２，２３，２４により、駆動軸４０，４１，４２、駆動ギア４０ａ，４１ａ，４２ａ、従動ギア１９ｆ，２０ｆ，２１ｆ、ホーク部１９ｂ，２０ｂ，２１ｂを介して回転駆動されるようになっている。本実施形態では、駆動軸４０，４１，４２の回転を回転ドラム１９，２０，２１に伝達する回転伝達手段７０は、駆動ギア４０ａ，４１ａ，４２ａと従動ギア１９ｆ，２０ｆ，２１ｆとよりなるギア列を備えた構成となっている。
【００１７】
以上のように、駆動モータ２２，２３，２４を、その駆動軸４０，４１，４２を回転ドラム１９，２０，２１の軸心からずらして回転ドラム１９，２０，２１内の後側に配置しているため、回転ドラム１９，２０，２１内の前側にまとまったスペースを確保できる。
【００１８】
回転ドラム１９，２０，２１の胴部１９ｃ，２０ｃ，２１ｃは、内部を透視可能な透過性を有する合成樹脂材料等によりその全体が構成されており、その外周面に、透過性のない不透明なシート材に遊技に必要な複数種類の第１図柄４３，４４，４５を印刷等で表示した図柄表示シート６５，６６，６７が貼着されている（図８の（Ａ）参照）。
【００１９】
中央の回転ドラムの図柄表示シート６６には、第１図柄４４の１コマ分に相当する箇所に切り欠き部、開口部等の除去部６６ａが形成され、この除去部６６ａ内の胴部２０ｃにより、液晶表示手段２５側の第２図柄４６を視認可能な透過性部２０ｄが構成されている。従って、この中央の回転ドラム２０の胴部２０ｃは、内部の液晶表示手段２５側を前から視認可能な透過性部２０ｄと、透視不能な遮蔽部２０ｅとを周方向に備えている。
【００２０】
なお、透過性部２０ｄは、その部分のみを透過性材料により構成して、その透過性部２０ｄを回転ドラム２０の胴部２０ｃに装着しても良い。従って、その場合に各回転ドラム２０の胴部２０ｃを不透明又は半透明な材料により構成し、その胴部２０ｃの外周面に第１図柄４３，４４，４５を直接表示しても良い。
【００２１】
各回転ドラム１９，２０，２１の図柄表示シート６５，６６，６７には、図８（Ａ）に示すように、第１図柄４３，４４，４５が周方向に略等間隔を置いて印刷されている。第１図柄４３，４４，４５は、回転ドラム１９，２０，２１が停止したときに、その周方向（上下方向）に隣り合う複数コマ、例えば３コマ分が図柄表示領域３１に対応して表示される間隔になっている。回転ドラム２０側の第１図柄４４は、その透過性部２０ｄを基準に略等間隔に配置されている。
【００２２】
なお、第１図柄４３，４４，４５には、ベル、ＢＡＲ、ＪＡＣ、７、プラム、チェリー、その他の適宜図柄が使用されており、同種図柄と異種図柄とを適宜組み合わせた複数コマ分を第１図柄４３，４４，４５群として、その各第１図柄４３，４４，４５が図柄表示シート６５，６６，６７に回転ドラム１９，２０，２１の周方向に所定間隔を置いて表示されている。
【００２３】
液晶表示手段２５は、液晶表示部２５ａとその後側に一体に設けられた駆動ユニット２５ｂとを備え、図柄表示領域３１の例えばその上下方向の略中央部に対応させて、各支持板３７，３８，３９の回転ドラム１９，２０，２１に対応する側に、支軸３７ａ，３８ａ，３９ａよりも前側に偏位して着脱自在に装着されている。また、液晶表示手段２５は、液晶表示部２５ａの前側の表示画面を回転ドラム２０の内周に近接した状態で配置されている。液晶表示手段２５の後側には液晶制御基板７１が着脱自在に装着されている。
【００２４】
液晶表示手段２５は、遊技に必要な複数種類の第２図柄４６を変動表示可能であって、その前側の表示画面に所定順序で順次表示される複数種類の第２図柄４６を回転ドラム１９，２０，２１の回転方向と同一又は異なる方向に所定の変動パターンで変動表示させた後、その第２図柄４６の１個を択一的に選択して停止表示させるようになっている。なお、液晶表示手段２５は停止状態で１コマ分の第２図柄４６を表示可能な大きさになっている。
【００２５】
液晶表示手段２５に表示される複数種類の第２図柄４６は、少なくとも一部が回転ドラム１９，２０，２１側の第１図柄４３，４４，４５と同種であって、図８（Ｂ）に示すように、第１図柄４３，４４，４５と同様にベル、ＢＡＲ、ＪＡＣ、７、プラム、チェリー、その他の適宜図柄が使用されており、同種図柄と異種図柄とを適宜組み合わせた複数コマ分を第２図柄４６群としている。
【００２６】
また第２図柄４６は、液晶表示手段２５に停止表示される第２図柄４６が入賞ライン３６上に対応して停止する他の回転ドラム１９，２１側の第１図柄４３，４５と同種図柄となった場合を特定態様とする等、少なくとも一部（その全部又は一部）が各回転ドラム１９，２０，２１の第１図柄４３，４４，４５と同等の価値を持っている。
【００２７】
第２変動図柄表示手段１３は、１個又は複数個、例えば１個の図柄を変動表示可能であって、第２変動要求手段１５が遊技球を検出したときの変動要求により、乱数制御によってその図柄を変動させて、所定時間の変動後に停止させるようになっている。なお、第２変動図柄表示手段１３の図柄には０〜９までの１０種類の数字図柄が使用されている。
【００２８】
第１変動要求手段１４は、遊技者に不利な第１状態（閉状態）と有利な第２状態（開状態）とに切り換え可能であって、開閉自在な左右一対の開閉爪４７を備え、電動チューリップ等が使用されている。なお、第１変動要求手段１４は、第２変動図柄表示手段１３の変動後の図柄が予め定められた所定態様の場合に、開閉爪４７が所定時間開放するようになっている。第２変動要求手段１５は、通過ゲート等によって構成されている。
【００２９】
可変入賞手段１６は、遊技者に不利な第１状態（閉状態）と有利な第２状態（開状態）とに切り換え可能であって、下部側の横軸により開閉自在に枢支された開閉板４８を備え、第１変動図柄表示手段１２の変動後に各入賞ライン３６に対応する停止図柄が特定態様（例えば「７・７・７」等のように、予め定められた特定図柄又は特定図柄の組み合わせ）となった場合に、開閉板４８が前側に開放して遊技者に有利な遊技状態に移行するようになっている。
【００３０】
可変入賞手段１６には、その内部に特定領域４９が設けられており、この特定領域４９を遊技球が通過したときに、特別遊技状態を継続させるようになっている。なお、可変入賞手段１６は、開放後に所定時間（例えば３０秒間）が経過した場合、又は所定数（例えば１０個）の遊技球が入賞した場合の何れか早い方の成立を条件に開閉板４８を閉じ、また遊技球が特定領域４９を通過することを条件に、最大所定回数（例えば１６回）まで開閉動作を繰り返すようになっている。
【００３１】
図７は制御系を例示するブロック図である。図７において、５０は遊技制御基板で、遊技盤３の裏側の裏カバー等、遊技機本体１の裏側の所定箇所に着脱自在に装着されている。５１は表示制御基板で、第１変動図柄表示手段１２の収納ケース２７の裏側に、表示基板ケース５１ａに格納した状態で着脱自在に装着されている。なお、遊技制御基板５０、表示制御基板５１は別々の基板により構成され、別々の基板ケースに収納されている。
【００３２】
遊技制御基板５０には、主として遊技盤３側の遊技動作を制御する遊技制御手段５２が設けられている。遊技制御手段５２は、第１遊技抽選手段５３、第１遊技判定手段５４、第１利益状態発生手段５５、第２遊技抽選手段５６、第２遊技判定手段５７、第２利益状態発生手段５８、指令情報送信手段５９等を備え、ＣＰＵ、ＲＯＭ、ＲＡＭ等により構成されている。
【００３３】
表示制御基板５１には、主として第１変動図柄表示手段１２側の表示制御を行う第１変動表示制御手段６０の一部と、第２変動図柄表示手段１３側の表示制御を行う第２変動表示制御手段６１とが装着されている。第１変動表示制御手段６０は、指令情報解析手段６２、第１図柄制御手段６３、第２図柄制御手段６４等を備え、指令情報解析手段６２及び第１図柄制御手段６３が表示制御基板５１上に、第２図柄制御手段６４が液晶制御基板７１上に夫々搭載されている。
【００３４】
第２遊技抽選手段５６は、例えば所定態様の発生確率が１／１０の場合に０〜９までの１０個の乱数値を発生させる等、所定数の第２遊技決定用乱数を順次発生させておき、第２変動要求手段１５の変動要求を条件に、その第２遊技決定用乱数の何れかの乱数値を抽選するためのものである。第２遊技判定手段５７は、第２遊技抽選手段５６の抽選乱数値に基づいて第２遊技状態を発生させるか否かを判定するためのもので、第２遊技抽選手段５６での抽選乱数値が第２遊技判定値の場合に第２遊技と判定するようになっている。
【００３５】
第２利益状態発生手段５８は、第２遊技判定手段５７が第２遊技と判定して、第２変動図柄表示手段１３の変動後の図柄が所定態様で確定することを条件に第２利益状態を発生させて、第１変動要求手段１４の開閉爪４７を所定時間（例えば０．５秒間程度）開放させるためのものである。
【００３６】
第１遊技抽選手段５３は、例えば特定態様の発生確率が１／３５０の場合に０〜３４９までの３５０個の乱数値を発生させる等、所定数の第１遊技決定用乱数を順次発生させておき、第１変動要求手段１４の変動要求を条件に、その第１遊技決定用乱数の何れかの乱数値を抽選するためのものである。
【００３７】
第１遊技判定手段５４は、第１遊技抽選手段５３の抽選乱数値に基づいて第１遊技状態を発生させるか否かを判定するためのもので、第１遊技抽選手段５３での抽選乱数値が第１遊技判定値（例えば、乱数値「７」）の場合に第１遊技と判定するようになっている。
【００３８】
第１利益状態発生手段５５は、第１遊技判定手段５４で第１遊技判定があり、第１変動図柄表示手段１２の入賞ライン３６上の第１図柄４３，４４，４５と第２図柄４６との停止図柄が特定態様となった後に、遊技者に有利な第１利益状態を発生させるためのもので、例えば可変入賞手段１６の開閉板４８を開放し、その開放後に所定時間（例えば３０秒間）が経過した場合、又は所定数（例えば１０個）の遊技球が入賞した場合の何れか早い方の成立で開閉板４８を閉じ、遊技球が特定領域４９を通過することを条件に、最大所定回数（例えば１６回）まで開閉動作を継続させるようになっている。
【００３９】
指令情報送信手段５９は、第１変動要求手段１４の変動要求に基づいて第１遊技判定手段５４から判定結果がある毎に、その第１遊技又は非第１遊技の判定結果と、そのときの第１変動図柄表示手段１２側の第１図柄４３，４４，４５、第２図柄４６等の変動時間とに関する所定の指令情報を、表示制御基板５１の第１変動表示制御手段６０へと一方向通信により送信するようになっている。なお、変動時間は、各回転ドラム１９，２０，２１の回転時間と液晶表示手段２５の変動表示時間でも良いし、第１変動図柄表示手段12側の変動開始から停止までの時間でも良い。
【００４０】
第２変動表示制御手段６１は、第２遊技判定手段５７の判定結果に基づいて第２変動図柄表示手段１３の図柄を所定時間変動させると共に、第２遊技判定の場合に変動後に所定態様で、非第２遊技判定の場合に変動後に非所定態様で夫々停止するように、その図柄を判定結果に応じて停止させるべく第２変動図柄表示手段１３を変動制御するようになっている。
【００４１】
第１図柄制御手段６３は、各回転ドラム１９，２０，２１の回転、停止により第１図柄４３，４４，４５の変動、停止を制御するためのもので、指令情報解析手段６２で解析された第１遊技判定、非第１遊技判定の判定結果及び変動時間の指令情報に従って駆動モータ２２，２３，２４により回転ドラム１９，２０，２１を所定時間回転させて、各回転ドラム１９，２０，２１を左、右、中等のように所定の順序で停止させるようになっている。
【００４２】
また第１図柄制御手段６３は、第１遊技判定手段５４の判定結果が第１遊技判定の場合に、回転ドラム１９，２１の入賞ライン３６上の第１図柄４３，３５が同種図柄となり、回転ドラム２０の透過性部２０ｄが入賞ライン３６上で液晶表示手段２５に対応するように各回転ドラム１９，２０，２１を停止させ、非第１遊技判定の場合に、回転ドラム１９，２１の入賞ライン３６上の第１図柄４３，４５が同種図柄又は異種図柄となり、回転ドラム２０の透過性部２０ｄが入賞ライン３６上で液晶表示手段２５に対応するか、又は透過性部２０ｄが図柄表示領域３１の外部（遮蔽部２０ｅが図柄表示領域３１側）となるように各回転ドラム１９，２０，２１を停止させるようになっている。
【００４３】
第２図柄制御手段６４は、少なくとも回転ドラム２０の停止後に複数種類の第２図柄４６を所定の変動パターンで変動表示させて停止させるためのもので、第１遊技判定手段５４の判定結果が第１遊技判定の場合に回転ドラム１９，２１の入賞ライン３６上の第１図柄４３，４５と同種図柄で、非第１遊技判定の場合に回転ドラム１９，２１の入賞ライン３６上の第１図柄４３，４５の一部と同種図柄又は異種図柄で第２図柄４６を停止させるようになっている。
【００４４】
なお、第２図柄制御手段６４は、第１図柄４３，４４，４５を目視により識別可能な速度まで回転ドラム１９，２０，２１の回転速度が低下した場合に、その第１図柄４３，４４，４５の変動表示に同期して第２図柄４６を変動表示させる等、回転ドラム１９，２０，２１の回転中にも液晶表示手段２５の第２図柄４６を変動表示させるようにしても良い。
【００４５】
上記弾球遊技機において、遊技に際しては、発射手段８の発射ハンドル９を操作して、発射手段８により遊技球をガイドレール１０に沿って順次遊技盤３側に発射させて行く。遊技盤３の上部側に発射された遊技球は、遊技盤３の遊技領域１１に入った後、その盤面に沿って落下する間に普通入賞手段１７等に入賞するか、或いは第２変動要求手段１５を通過しながら下方へと落下する。
【００４６】
第２変動要求手段１５が遊技球を検出すると、その変動要求により第２遊技抽選手段５６がその時点の発生乱数値を抽選して、第２遊技判定手段５７がその抽選乱数値から第２遊技状態にするか否かを判定し、その判定結果により第２変動表示制御手段６１が第２変動図柄表示手段１３の図柄を変動させる。
【００４７】
そして、第２遊技判定手段５７の判定結果が第２遊技判定の場合には、第２変動図柄表示手段１３の変動後の停止図柄が例えば「７」等の所定態様になり、第２利益状態発生手段５８による第２利益状態が発生して第１変動要求手段１４の開閉爪４７が所定時間開放し、この第１変動要求手段１４に遊技球が入賞し易くなる。
【００４８】
第１変動要求手段１４が遊技球を検出すると、その変動要求に基づいて第１遊技抽選手段５３が発生乱数値を抽選して、第１遊技判定手段５４がその抽選乱数値から第１遊技状態を発生させるか否かを判定し、その判定結果に従って指令情報送信手段５９が所定の指令情報を表示制御基板５１へと送信する。
【００４９】
即ち、指令情報送信手段５９は、第１遊技判定手段５４の判定結果が第１遊技判定の場合に、その第１遊技判定と変動時間とを含む指令情報を、第１遊技判定手段５４の判定結果が非第１遊技判定の場合に、その非第１遊技判定と変動時間とを含む指令情報を夫々表示制御基板５１へと送信する。
【００５０】
表示制御基板５１では、指令情報送信手段５９からの指令情報を指令情報解析手段６２が受信して、第１遊技判定手段５４の判定結果が第１遊技判定の場合に指令情報から第１遊技判定及び変動時間を、非第１遊技判定の場合に指令情報から非第１遊技判定及び変動時間を夫々解析する。
【００５１】
そして、第１遊技判定手段５４の判定結果が第１遊技判定の場合には、第１図柄制御手段６３が指令情報に基づいて駆動モータ２２，２３，２４により回転ドラム１９，２０，２１を所定方向に回転させ、この回転ドラム１９，２０，２１の回転によって図柄表示領域３１に対応する第１図柄４３，４４，４５を変動表示させる。そして、各回転ドラム１９，２０，２１は所定時間回転した後に、回転ドラム１９，２１の第１図柄４３，４５が何れかの入賞ライン３６上で同種図柄となり、回転ドラム２０の透過性部２０ｄが入賞ライン３６上に対応するように、左、右、中の順序で停止する。
【００５２】
一方、回転ドラム１９，２０，２１の回転中から又は回転ドラム２０の停止時点から、第２図柄制御手段６４が指令情報に基づいて液晶表示手段２５の第２図柄４６を所定の変動パターンで動画的、その他の適宜表示形態で変動させる。そして、回転ドラム１９，２１の入賞ライン３６に対応する第１図柄４３，４５の停止図柄が例えば共に「７」の場合には、所定時間の経過後に、液晶表示手段２５の第２図柄４６が「７」を停止表示し、これによって入賞ライン３６上の停止図柄が全て同種図柄の「７」を表示する特定態様となる。
【００５３】
第１変動図柄表示手段１２の変動後の停止図柄が特定態様となると、その後に第１利益状態発生手段５５が働いて遊技者に有利な第１利益状態が発生し、可変入賞手段１６が前側に開放して遊技球が入賞し易くなり、遊技者は多大な利益を享受できる。なお、可変入賞手段１６は、その開閉板４８の開放から所定時間が経過するか、又は所定数の遊技球が入賞すると、開閉板４８を閉じる。また可変入賞手段１６の開放中に遊技球が特定領域４９を通過すれば、可変入賞手段１６が再度開放し、以下、同様の開閉動作を最大１６回まで繰り返す。
【００５４】
このように回転ドラム１９，２０，２１の回転による第１図柄４３，４４，４５の変動表示と、液晶表示手段２５による第２図柄４６の変動表示とを組み合わせることによって、従来の回転ドラム１９，２０，２１のみによる変動表示に比較して、機械的構成を基本としながらも図柄の画一的な変動表示を防止でき、図柄の変動表示の演出性を向上させることができる。特に液晶表示手段２５の第２図柄４６を最後に停止させる場合には、その第２図柄４６によりリーチ演出の演出効果を向上させることができる。
【００５５】
以上説明したように、本実施形態では、駆動モータ２２，２３，２４を、その駆動軸４０，４１，４２を回転ドラム１９，２０，２１の軸心からずらして回転ドラム１９，２０，２１内の後側に配置すると共に、駆動軸４０，４１，４２の回転を回転ドラム１９，２０，２１に伝達する回転伝達手段７０として、駆動ギア４０ａ，４１ａ，４２ａと従動ギア１９ｆ，２０ｆ，２１ｆとよりなるギア列を備えているため、回転ドラム１９，２０，２１内の前側にまとまったスペースを確保でき、大型の液晶表示手段２５を回転ドラム１９，２０，２１内に無理なく配置することが可能となった。
【００５６】
図９は本発明の第２の実施形態を例示し、支持板３７，３８，３９に、回転ドラム１９，２０，２１の支軸３７ａ，３８ａ，３９ａを支持する支持部材８１，８２，８３を設けると共に、この支持部材８１，８２，８３を屈曲状に形成し、回転ドラム１９，２０，２１の軸心からずれた位置で支持板３７，３８，３９に固定した例を示している。また、回転ドラム１９，２０，２１側の従動ギア１９ｆ，２０ｆ，２１ｆを、胴部１９ｃ，２０ｃ，２１ｃの内面側に設け、駆動モータ２２，２３，２４側の駆動ギア４０ａ，４１ａ，４２ａをその従動ギア１９ｆ，２０ｆ，２１ｆに噛み合わせている。
【００５７】
支持部材８１，８２，８３は、回転ドラム１９，２０，２１のハブ部１９ａ，２０ａ，２１ａの内面側に略当接し且つ回転ドラム１９，２０，２１の軸心から所定の半径方向、例えば後方に向けて長く形成された支軸支持部８１ａ，８２ａ，８３ａと、この支軸支持部８１ａ，８２ａ，８３ａの半径方向外側端部から支持板３７，３８，３９に向けて延設された取り付け支持部８１ｂ，８２ｂ，８３ｂとで略Ｌ型に形成されており、取り付け支持部８１ｂ，８２ｂ，８３ｂの端部において支持板３７，３８，３９に固定されている。
【００５８】
支軸支持部８１ａ，８１ｂ，８１ｃには、支持板３７，３８，３９と反対方向に支軸３７ａ，３８ａ，３９ａが立設されており、この支軸３７ａ，３８ａ，３９ａに回転ドラム１９，２０，２１のハブ部１９ａ，２０ａ，２１ａが嵌め込まれ、先端側に着脱自在に装着された規制部材３７ｃ，３８ｃ，３９ｃにより軸方向への移動が規制されている。
【００５９】
このように、支持板３７，３８，３９に、回転ドラム１９，２０，２１の支軸３７ａ，３８ａ，３９ａを支持する支持部材８１，８２，８３を設け、この支持部材８１，８２，８３を屈曲状に形成すると共に、これら支持部材８１，８２，８３を回転ドラム１９，２０，２１の軸心からずれた位置で支持板３７，３８，３９に固定することにより、回転ドラム１９，２０，２１の内側にその中心部近傍を含む更に大きなスペースを確保できる。
【００６０】
なお、第２の実施形態において、第１の実施形態と同様、従動ギア１９ｆ，２０ｆ，２１ｆを回転ドラム１９，２０，２１のハブ部１９ａ，２０ａ，２１ａ側に設けてもよい。また、支軸３７ａ，３８ａ，３９ａを屈曲状に形成し、回転ドラム１９，２０，２１の軸心からずれた位置で支持板３７，３８，３９に固定してもよい。
【００６１】
また、支持部材８１，８２，８３の支軸支持部８１ａ，８２ａ，８３ａは、駆動モータ２２，２３，２４の配置方向に向けて形成する必要はなく、例えば上向き、下向き等の任意の方向に形成してもよい。支軸支持部８１ａ，８２ａ，８３ａを駆動モータ２２，２３，２４の配置方向とは異なる方向に長く形成すれば、例えば取り付け支持部８１ｂ，８２ｂ，８３ｂと駆動モータ２２，２３，２４との干渉が避けられるため、支持板３７，３８，３９への固定位置を回転ドラム１９，２０，２１の胴部１９ｃ，２０ｃ，２１ｃにより近づけることができ、回転ドラム１９，２０，２１の内側に更に大きなスペースを確保できる。
【００６２】
図１０は本発明の第３の実施形態を例示し、第１の実施形態を変形して、回転ドラム１９，２０，２１の支軸３７ａ，３８ａ，３９ａを、回転ドラム１９，２０，２１の外側に配置した例を示している。
【００６３】
図１０に示すように、回転ドラム１９の支持板３７と反対側には、他の支持板３７，３８，３９と同様の支持板９１が設けられている。支持板９１，３７，３８には、ぞれぞれ回転ドラム１９，２０，２１側に支軸３７ａ，３８ａ，３９ａが立設されており、この支軸３７ａ，３８ａ，３９ａに回転ドラム１９，２０，２１のハブ部１９ａ，２０ａ，２１ａが嵌め込まれ、支軸３７ａ，３８ａ，３９ａの先端側に着脱自在に装着された規制部材３７ｃ，３８ｃ，３９ｃにより軸方向への移動が規制されている。
【００６４】
ハブ部１９ａ，２０ａ，２１ａの外周側で且つホーク部１９ｂ，２０ｂ，２１ｂの固定部分の内側には、駆動モータ２２，２３，２４側の駆動ギア４０ａ，４１ａ，４２ａが噛み合う従動ギア１９ｆ，２０ｆ，２１ｆが一体に設けられている。その他の構成は第１の実施形態と同様である。
【００６５】
以上のような構成により、回転ドラム１９，２０，２１の内側で支軸３７ａ，３８ａ，３９ａの占める空間を極めて小さくすることができるため、回転ドラム１９，２０，２１の内部に更に大きなスペースを確保できる。
【００６６】
以上、本発明の各実施形態について詳述したが、各実施形態に限定されるものではなく、本発明の趣旨を逸脱しない範囲で種々の変更が可能である。例えば、駆動モータ２２，２３，２４の配置位置は、回転ドラム１９，２０，２１内の後部である必要はなく、例えば上部や下部などの任意位置に配置してもよい。
【００６７】
回転伝達手段７０の一例としてのギア列は、駆動ギア４０ａ，４１ａ，４２ａと従動ギア１９ｆ，２０ｆ，２１ｆの２つで構成するものに限られるものではなく、それら２つのギアの間に１又は複数のギアを配列してもよい。また、駆動軸４０，４１，４２をその駆動軸４０，４１，４２が回転ドラム１９，２０，２１の軸心と交差するように配置し、べベルギアを含むギア列により回転を伝達するようにしてもよい。なお、回転伝達手段７０はギア列に限られるものではなく、ベルト等の他の伝達手段を用いてもよい。
【００６８】
実施形態では、３個の回転ドラム１９，２０，２１を備えた第１変動図柄表示手段１２を例示しているが、回転ドラム１９，２０，２１の数は１個、２個又は４個以上でも良い。
【００６９】
液晶表示手段２５は各回転ドラム１９，２０，２１の内部に夫々設けても良いし、実施形態に例示のように、その一部の回転ドラム１９，２０，２１の内部に設けても良い。
【００７０】
実施形態では、回転ドラム２０の胴部２０ｃに１コマ分の透過性部２０ｄを１つ設けた例を示したが、１つの胴部１０ｃ，２０ｃ，２１ｃに２つ以上の透過性部２０ｄを設けてもよい。また１つの透過性部２０ｄを、連続する２コマ以上の対応する大きさに形成してもよい。
【００７１】
隣り合う２つの回転ドラム、例えば回転ドラム１９，２０をその間の支持板３７に対して対称で且つ両者の駆動モータ２２，２３が支持板３７側に固定されるように配置し、１つの液晶表示手段２５を回転ドラム１９，２０に跨って配置し、この１つの液晶表示手段２５で２つの回転ドラム１９，２０側の第２図柄の表示を行うようにしてもよい。
【００７２】
また、液晶表示手段２５は、図柄表示領域３１に対応させて配置すれば良く、例えば図柄表示領域３１に上下方向に複数コマの図柄を表示可能な場合には、必ずしも図柄表示領域３１の上下方向の略中央に配置する必要はなく、上側又は下側に偏位させて配置することも可能である。従って、液晶表示手段２５は、入賞ライン３６以外の位置に対応させて配置することも可能である。しかし、液晶表示手段２５による演出効果の向上を図るには、入賞ライン３６上に位置するように液晶表示手段２５を配置することが望ましい。
【００７３】
第２図柄を表示する表示手段には、液晶表示手段２５以外にドット式表示手段、７セグメント式表示手段等の各種のものを使用することが可能であるが、電気的に第２図柄４６を制御できる表示手段を採用することが望ましい。
【００７４】
第２図柄制御手段６４は、必ずしも独立した液晶制御基板７１上に搭載する必要はなく、例えば表示制御基板５１上に搭載してもよい。
【００７５】
回転ドラム１９，２０，２１内には、液晶表示手段２５の他に、例えば照明ランプ等を配置してもよい。この場合、回転ドラム１９，２０，２１の胴部１９ｃ，２０ｃ，２１ｃ、及び図柄表示シート６５，６６，６７は、光透過性を有し且つ内部を透視できない合成樹脂材料等により構成することが望ましい。また、液晶表示手段２５や透過性部２０ｄを省略し、照明ランプのみを内蔵するようにしてもよい。もちろん、液晶表示手段２５や照明ランプ以外の部品を回転ドラム１９，２０，２１内に配置してもよい。
【００７６】
また、パチンコ機以外のアレンジボール機、雀球遊技機等の弾球遊技機、或いはスロットマシン等の各種の遊技機においても同様に実施可能である。スロットマシンに採用する場合には、各回転ドラム１９，２０，２１の回転、表示手段の第２図柄４６の変動は、遊技者の停止要求に応じて適宜停止するように構成すれば良い。
【００７７】
【発明の効果】
本発明によれば、遊技に必要な第１図柄４３，４４，４５が表された円筒状の胴部１９ｃ，２０ｃ，２１ｃを備え且つその軸心において回動自在に支持された回胴体１９，２０，２１と、該回胴体１９，２０，２１の内側に配置され且つこの回胴体１９，２０，２１を回転駆動する駆動手段２２，２３，２４とを備えた遊技機において、駆動手段２２，２３，２４を、その駆動軸４０，４１，４２を回胴体１９，２０，２１の軸心からずらして配置すると共に、駆動軸４０，４１，４２の回転を回胴体１９，２０，２１に伝達する回転伝達手段７０を備え、回胴体１９，２０，２１をその軸心において回動自在に支持する支軸３７ａ，３８ａ，３９ａを、回胴体１９，２０，２１の内側に配置し、支軸３７ａ，３８ａ，３９ａ若しくはその支持部材を回胴体１９，２０，２１の軸心に対する半径方向外向きの一方向への屈曲状に形成すると共に回胴体１９，２０，２１の軸心からずれた位置で支持しているため、駆動手段２２，２３，２４を各回転ドラム１９，２０，２１内の中心部から外れた位置に配置することにより、回転ドラム１９，２０，２１内に他の内蔵部品を配置するためのまとまったスペースを確保でき、大型の部品を内蔵可能である。
【図面の簡単な説明】
【図１】本発明の第１の実施形態を示す弾球遊技機の正面図である。
【図２】本発明の第１の実施形態を示す第１変動図柄表示手段の正面図である。
【図３】本発明の第１の実施形態を示す第１変動図柄表示手段の側面断面図である。
【図４】本発明の第１の実施形態を示す第１変動図柄表示手段の正面断面図である。
【図５】本発明の第１の実施形態を示す第１変動図柄表示手段の平面断面図である。
【図６】本発明の第１の実施形態を示す第１変動図柄表示手段の一部拡大平面断面図である。
【図７】本発明の第１の実施形態を示す制御系のブロック図である。
【図８】本発明の第１の実施形態を示す第１図柄及び第２図柄の説明図である。
【図９】本発明の第２の実施形態を示す第１変動図柄表示手段の一部拡大平面断面図である。
【図１０】本発明の第３の実施形態を示す第１変動図柄表示手段の一部拡大平面断面図である。
【符号の説明】
１９〜２１      回転ドラム（回胴体）
１９ｃ〜２１ｃ  胴部
２０ｄ          透過性部
２２〜２４      駆動モータ（駆動手段）
２５            液晶表示手段
３７ａ〜３９ａ  支軸
４０〜４２      駆動軸
４３〜４５      第１図柄
４６            第２図柄
７０            回転伝達手段
【図１】
0004684452.tif 000002
【図２】
0004684452.tif 000003
【図３】
0004684452.tif 000004
【図４】
0004684452.tif 000005
【図５】
0004684452.tif 000006
【図６】
0004684452.tif 000007
【図７】
0004684452.tif 000008
【図８】
0004684452.tif 000009
【図９】
0004684452.tif 000010
【図１０】
0004684452.tif 000011